(57)【要約】【課題】制御基板を収容する基板ケースを確実に封印し、外部からの不正行為を防止できるようにする。【解決手段】カバー４５の右側面にカバー側封印部４９ａを形成し、ベース４３の右側面の各カバー側封印部４９ａ〜４９ｆに対向する位置にベース側封印部５１ａを形成し、カバー側封印部４９ａに仮止めされたねじ５３をベース側封印部５１ａに螺合し、これによりベース側封印部５１ａの前端部外周に形成された係止部５５を、カバー側封印部４９ａの後端部内周に形成された被係止部５７に形成させ、基板ケース４１を封印する。【選択図】　　　　図４
2004049500.tif 000002
【特許請求の範囲】
【請求項１】
ベースとカバーとに分割され遊技機筐体に固定される基板ケースに設けられ、遊技機用の制御基板を前記基板ケース内に収容して前記基板ケースを封印する遊技機用制御基板ケースの封印装置において、
前記ベースまたは前記カバーの一方に形成された一方側封印部と、
前記ベースまたは前記カバーの他方の前記一方側封印部との対向位置に形成された他方側封印部と、
前記一方側封印部または前記他方側封印部の片方から挿通されてもう片方に螺合するねじと、
前記一方側封印部または前記他方側封印部の片方に形成された係止部と、
前記一方側封印部または前記他方側封印部のもう片方に形成された被係止部とを備え、
前記ねじの螺合により前記係止部が前記被係止部に係止することを特徴とする遊技機用制御基板ケースの封印装置。
【請求項２】
前記一方側封印部または前記他方側封印部の少なくとも片方が、可撓性を有する支持部を介して形成されていることを特徴とする請求項１に記載の遊技機用制御基板ケースの封印装置。
【請求項３】
前記一方側封印部が前記カバーに形成され、前記他方側封印部が前記ベースに形成されていることを特徴とする請求項１または２に記載の遊技機用制御基板ケースの封印装置。
【請求項４】
ベースとカバーとに分割され遊技機筐体に固定される基板ケースに設けられ、遊技機用の制御基板を前記基板ケース内に収容して前記基板ケースを封印する遊技機用制御基板ケースの封印装置において、
前記カバーに形成された一方側封印部と、
前記ベースの前記一方側封印部との対向位置に形成された他方側封印部と、
前記筐体に取り付けられた保持部と、
前記一方側封印部側から挿通され前記他方側封印部に遊通されて前記保持部に螺合するねじと、
前記一方側封印部または前記他方側封印部の片方に形成された係止部と、
前記一方側封印部または前記他方側封印部のもう片方に形成された被係止部とを備え、
前記ねじの螺合により前記係止部が前記被係止部に係止することを特徴とする遊技機用制御基板ケースの封印装置。
【請求項５】
前記一方側封印部が、前記カバーに可撓性を有する支持部を介して形成されていることを特徴とする請求項４に記載の遊技機用制御基板ケースの封印装置。
【請求項６】
前記一方側封印部及び前記他方側封印部がそれぞれ、相互に係合する筒状体から成り、前記係止部及び前記被係止部が、前記一方側封印部を成す前記筒状体と前記他方側封印部を成す前記筒状体との係合部分に形成されて、外部からアクセスできないように片方の前記筒状体の内側に配置されていることを特徴とする請求項１ないし５のいずれかに記載の遊技機用制御基板ケースの封印装置。
【請求項７】
前記ねじの表面に、螺合時の摩擦により接着力を発揮する接着剤が塗布されていることを特徴とする請求項１ないし６のいずれかに記載の遊技機用制御基板ケースの封印装置。
【発明の詳細な説明】
【０００１】
【発明の属する技術分野】
この発明は、ベースとカバーとに分割され遊技機筐体に固定される基板ケースに設けられ、遊技機用の制御基板を基板ケース内に収容して封印する遊技機用制御基板ケースの封印装置に関する。
【０００２】
【従来の技術】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図７に示すような基板ケース１００内に収容されて遊技機筐体内の所定位置に配設される。
【０００３】
ところで、この基板ケース１００は、図７に示すように、透明樹脂製のベース１０１とカバー１０２とに分割され、ケース１００内に制御基板を収めた後、かしめ部１０３においてベース１０１とカバー１０２とをかしめて封印し、このかしめ部１０３を壊さない限りケース１００を開けることができない構造になっている。ここで、図７には示されていないホルダが遊技機筐体内部の所定位置に固着され、ケース１００のベース１０１はこのホルダを介して遊技機筐体に固定されている。
【０００４】
そして、かしめ部１０３は、図７に示すように、例えばケース１００の右側面に設けられた６個の封印部材１０４〜１０９を備え、更にこれら各封印部材１０４〜１０９は、カバー１０２の右側面に一体的に形成されたほぼ円筒状を成すカバー側封印部１０４ａ〜１０９ａと、ベース１０１の右側面であって各カバー側封印部１０４ａ〜１０９ａそれぞれとの対向位置に一体的に形成されたベース側封印部１０４ｂ〜１０９ｂとを備え、ねじにより各カバー側封印部１０４ａ〜１０９ａそれぞれと各ベース側封印部１０４ｂ〜１０９ｂそれぞれとが締結されて封印されるようになっている。但し、図７において、１１０，１１１，１１２はカバー１０２に形成された透孔から導出されたピンヘッダであり、ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材１０４の両封印部１０４ａ，１０４ｂがねじ止めされてケース１００が封印され、この封印状態のまま制御基板がケース１００ごとパチンコホールに搬送される。更に、パチンコホールにおいて、２番目の両封印部１０５ａ，１０５ｂがねじ止めされて封印状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材１０４，１０５が切断されて封印解除され、チェック終了後に３番目の封印部材１０６の両封印部１０６ａ，１０６ｂがねじ止めされ、このような監督機関による変造ＲＯＭの取り締まりごとに４番目、５番目の封印部材１０７，１０８が順次ねじ止めされて封印され、合計３回の監督機関によるチェックまで許容される構造になっている。
【０００７】
尚、制御基板をケース１００ごと回収する際に、５番目の封印部材１０８が切断されてケース１００が遊技機筐体から取り外し可能な状態にされると共に、６番目の封印部材１０９がねじ止めされてケース１００が封印状態のまま搬送可能な状態にされ、制御基板がケース１００ごと回収される。
【０００８】
【発明が解決しようとする課題】
しかし、上記したような従来のかしめ部１０３は、ねじ止めによって封印するものであるため、ねじ頭に形成されているマイナスドライバの係合溝を、逆動できないような傾斜構造にしてあるものの、円筒状のカバー側封印部１０４ａ〜１０９ａに外部から特殊工具を挿入して締結状態のねじを逆動操作して緩めることが可能であり、制御基板に対して何らかの不正行為を施すことができ、いわゆるゴト行為を防止することができないおそれがあった。
【０００９】
そこで、本発明は、制御基板を収容する基板ケースを確実に封印し、外部からの不正行為を防止できるようにすることを目的とする。
【００１０】
【課題を解決するための手段】
上記した目的を達成するために、本発明は、ベースとカバーとに分割され遊技機筐体に固定される基板ケースに設けられ、遊技機用の制御基板を前記基板ケース内に収容して前記基板ケースを封印する遊技機用制御基板ケースの封印装置において、前記ベースまたは前記カバーの一方に形成された一方側封印部と、前記ベースまたは前記カバーの他方の前記一方側封印部との対向位置に形成された他方側封印部と、前記一方側封印部または前記他方側封印部の片方から挿通されてもう片方に螺合するねじと、前記一方側封印部または前記他方側封印部の片方に形成された係止部と、前記一方側封印部または前記他方側封印部のもう片方に形成された被係止部とを備え、前記ねじの螺合により前記係止部が前記被係止部に係止することを特徴としている（請求項１）。
【００１１】
このような構成によれば、ねじを一方側封印部または他方側封印部の片方から挿通してもう片方に螺合することにより、係止部が被係止部に係止するため、ねじの螺合及び係止部・被係止部の係止の双方によって基板ケースを確実に封印することができ、外部からの不正行為をより確実に防止できる。
【００１２】
また、本発明は、前記一方側封印部または前記他方側封印部の少なくとも片方が、可撓性を有する支持部を介して形成されていることを特徴としている（請求項２）。このような構成によれば、ねじの螺合に伴って、一方側封印部または他方側封印部を支持する支持部が撓むため、係止部を被係止部に確実に係止させることができる。
【００１３】
また、本発明は、前記一方側封印部が前記カバーに形成され、前記他方側封印部が前記ベースに形成されていることを特徴としている（請求項３）。このような構成によれば、ねじの螺合及び係止部・被係止部の係止の双方により、ベースとカバーとの間を強固に閉塞して基板ケースを封印することができる。
【００１４】
また、本発明は、前記カバーに形成された一方側封印部と、前記ベースの前記一方側封印部との対向位置に形成された他方側封印部と、前記筐体に取り付けられた保持部と、前記一方側封印部側から挿通され前記他方側封印部に遊通されて前記保持部に螺合するねじと、前記一方側封印部または前記他方側封印部の片方に形成された係止部と、前記一方側封印部または前記他方側封印部のもう片方に形成された被係止部とを備え、前記ねじの螺合により前記係止部が前記被係止部に係止することを特徴としている（請求項４）。
【００１５】
このような構成によれば、ねじを一方側封印部に挿通すると共に他方側封印部に遊通して保持部に螺合することにより、係止部が被係止部に係止するため、ねじの螺合及び係止部・被係止部の係止の双方により、ベースとカバーとを強固に閉塞すると同時に保持部に固定することができ、基板ケースを確実に封印して外部からの不正行為をより確実に防止できる。
【００１６】
また、本発明は、前記一方側封印部が、前記カバーに可撓性を有する支持部を介して形成されていることを特徴としている（請求項５）。このような構成によれば、ねじの螺合に伴って、一方側封印部をカバーに支持する支持部が撓むため、係止部を被係止部に確実に係止させることができる。
【００１７】
また、本発明は、前記一方側封印部及び前記他方側封印部がそれぞれ、相互に係合する筒状体から成り、前記係止部及び前記被係止部が、前記一方側封印部を成す前記筒状体と前記他方側封印部を成す前記筒状体との係合部分に形成されて、外部からアクセスできないように片方の前記筒状体の内側に配置されていることを特徴としている（請求項６）。
【００１８】
このような構成によれば、係止部及び被係止部が片方の筒状体の内側に配置されるていため、ねじの螺合により係止部及び被係止部を確実に係止することができ、しかも外部から係止状態の係止部及び被係止部に対して細工することを防止でき、不正行為をより確実に防止できる。
【００１９】
また、本発明は、前記ねじの表面に、螺合時の摩擦により接着力を発揮する接着剤が塗布されていることを特徴としている（請求項７）。このような構成によれば、ねじの螺合、係止部・被係止部の係止及び接着剤の接着力により、ベースとカバーとをより強固に閉塞でき、基板ケースをいっそう確実に封印することができる。ここで、接着剤としてマイクロカプセル状の接着剤を用いるのが望ましく、マイクロカプセル状の接着剤であれば、螺合時の摩擦により接着力を発揮することが可能である。
【００２０】
【発明の実施の形態】
この発明を遊技機であるスロットマシンに適用した場合における一実施形態について図１ないし図６を参照して説明する。但し、図１はスロットマシンの正面図、図２及び図３はそれぞれケースの一部の正面図及び右側断面図、図４は他の一部の切断斜視図、図５及び図６は図３のＡ−Ａ’、Ｃ−Ｃ’での断面図である。
【００２１】
本実施形態におけるスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２２】
そして、この正面板９には３個のリール窓１１が並設され、各リール窓１１の内側には左、中、右の各回転リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２３】
更に、この操作板７には、クレジットされているメダルから投入を行うクレジットメダルボタン１５、各リールの回転を開始させるためのスタートレバー１７、第１ないし第３ストップボタン１９，２１，２３、及び、メダル投入口２５や払出しボタン２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。
【００２４】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板（図示せず）が収められた後、右側のかしめ部４７においてベース４３とカバー４５とがかしめられて封印され、筐体３内部に固着されたホルダに基板ケース４１が固定され、かしめ部４７を壊さない限り基板ケース４１を開けることができない構造になっている。尚、ベース４３及びカバー４５の左側には、凹凸の組み合わせから成る係合部及び被係合部が形成され、これら係合部及び被係合部によりベース４３及びカバー４５の左側が係脱自在に係合されている。
【００２５】
ところで、かしめ部４７は、図２ないし図６に示すように、カバー４５の右側面に形成された複数個（ここでは、６個）の一方側封印部としてのカバー側封印部４９ａ〜４９ｆと、ベース４３の右側面の各カバー側封印部４９ａ〜４９ｆに対向する位置に形成された複数個（ここでは、６個）の他方側封印部としてのベース側封印部５１ａ〜５１ｆと、各カバー側封印部４９ａ〜４９ｆに仮止めされて各ベース側封印部５１ａ〜５１ｆに螺合されるねじ５３と、各ベース側封印部５１ａ〜５１ｆの前端部外周に形成された係止部５５と、各カバー側封印部４９ａ〜４９ｆの後端部内周に形成された被係止部５７とを備えている。
【００２６】
そして、図２ないし図６に示すように、各カバー側封印部４９ａ〜４９ｆはそれぞれ、可撓性を有する１個の切断可能な支持片５９を介してカバー４５の右側面に一体形成された円筒状体６１から成り、特に図４に示されるように、ねじ５３が仮止めされる円筒状の仮止め部６３が、複数個の保持片６５を介して円筒状体６１の内側ほぼ中央部に保持されるように一体形成されている。
【００２７】
更に、仮止め部６３に、ねじ５３の先端が円筒状体６１から突出しない状態にねじ５３が仮止めされている。ここで、ねじ５３は通常のマイナスねじ、プラスねじのどちらでもよいが、不正行為をより確実に防止するためには、図４に示すように、マイナスねじであってマイナスドライバの係合溝が逆動できないように傾斜構造になっているものが望ましい。また、図４に示すように、円筒状体６１の内周後端部には、内方に突出した複数個（ここでは、３個）ずつの鈎状体から成る被係止部５７が一体形成されている。
【００２８】
ところで、図２ないし図６に示すように、１番目と６番目のベース側封印部５１ａ，５１ｆはそれぞれ、可撓性を有する切断可能な２個の支持片６７を介してベース４３の右側面に一体形成された円筒状体６９から成り、残りの２番目〜５番目のベース側封印部５１ｂ〜５１ｅもそれぞれ、切断可能な２個の支持片６７を介してベース４３の右側面に一体形成された円筒状体７１から成る。このとき、カバー側封印部４９ａ〜４９ｆ側の支持片５９と、ベース側封印部５１ａ〜５１ｆ側の支持片６７とが正面視重複しないようにずれて形成され（図１参照）、各支持片５９，６７の破損状況が外部から見て目視できる位置に各支持片５９，６７が配設されている。
【００２９】
また、円筒状体６９はねじ５３を螺合したときに、その先端が円筒状体６９から突出しないように、２〜５番目の円筒状体７１にこれよりも小径の円筒を継ぎ足した形状を有している。一方、円筒状体７１にはねじ５３が遊通可能な孔が形成されている。尚、筐体３内の上部の所定位置に固着されたホルダ（図示せず）に基板ケース４１を固定するために、２〜５番目のベース側封印部５１ｂ〜５１ｅを成す円筒状体７１は、ホルダ側のねじ穴に連通するようにホルダに当接して配設され、ねじ５３の螺合時には、カバー側封印部４９ｂ〜４９ｅの円筒状体６１側からベース側封印部５１ｂ〜５１ｅの円筒状体７１の孔に遊通されたねじ５３がホルダのねじ穴に螺合するようになっている。
【００３０】
更に、図２ないし図６に示すように、各ベース側封印部５１ａ〜５１ｆの円筒状体６９，７１の前端それぞれには、被係止部５７を成す各鈎状体に係止する複数個（ここでは、３個）ずつの外向きの爪を備えた係止部５５が一体形成されている。ここで、各ベース側封印部５１ａ〜５１ｆの円筒状体６９，７１の外径は、各カバー側封印部４９ａ〜４９ｆの円筒状体６１の内径よりも小さく設定され、円筒状体６１内に円筒状体６９，７１が進入可能になっている。
【００３１】
そして、１番目と６番目のカバー側封印部４９ａ，４９ｆ及びベース側封印部５１ａ，５１ｆでは、ねじ５３をベース側封印部５１ａ，５１ｆの円筒状体６９に螺合したときに、支持片５９が撓んでカバー側封印部４９ａ，４９ｆがベース側封印部５１ａ，５１ｆ方向に移動する。その際、支持片６７も若干撓んでベース側封印部５１ａ，５１ｆも移動するが、１個の支持片５９の撓み量の方が２個の支持片６７の撓み量よりも大きく、ほとんどカバー側封印部４９ａ，４９ｆの移動量のみが移動するように見える。
【００３２】
こうして、カバー側封印部４９ａ，４９ｆのベース側封印部５１ａ，５１ｆ方向への移動により、ベース側封印部５１ａ，５１ｆの円筒状体６９の前端部がカバー側封印部４９ａ，４９ｆの円筒状体６１の後端部内側に入り込んで、係止部５５が被係止部５７に係止する。
【００３３】
一方、２番目ないし５番目のカバー側封印部４９ｂ〜４９ｅ及びベース側封印部５１ｂ〜５１ｅでは、円筒状体７１に遊通してホルダのねじ穴にねじ５３を螺合したときに、支持片５９が撓んでカバー側封印部４９ｂ〜４９ｅがベース側封印部５１ｂ〜５１ｅ方向に大きく移動し、その際にベース側封印部５１ｂ〜５１ｅの円筒状体７１の前端部がカバー側封印部４９ｂ〜４９ｅの円筒状体６１の後端部内側に入り込んで、係止部５５が被係止部５７に係止する。
【００３４】
ところで、従来の場合と同様に、当初内蔵されている制御基板上の正規のＲＯＭを取り外して不正な変造ＲＯＭが取り付けられることを防止するために、まず１番目のカバー側封印部４９ａとベース側封印部５１ａとがねじ５３の螺合よって接合され、これにより基板ケース４１が封印され、この封印状態のまま制御基板が基板ケース４１ごとパチンコホールに搬送される。
【００３５】
更に、パチンコホールにおいて、２番目のカバー側封印部４９ｂ側からベース側封印部５１ｂに遊通されたねじ５３によりカバー側封印部４９ｂとホルダとが螺合されて接合され、封印状態の基板ケース４１がホルダを介して筐体３内部の所定位置に固定される。
【００３６】
そして、監督機関が変造ＲＯＭを取り締まるために、パチンコホールにおいてチェックする際には、封印されている１番目及び２番目のカバー側封印部４９ａ，４９ｂ，ベース側封印部５１ａ，５１ｂが、それらを支持する各支持部５９，６７において切断されて封印解除され、カバー４５が開放可能な状態とされ、チェック終了後に３番目のカバー側封印部４９ｃ側からベース側封印部５１ｃに遊通されたねじ５３によりカバー側封印部４９ｃとホルダとが螺合されて接合され、このような監督機関による変造ＲＯＭの取り締まりごとに、４番目、５番目のカバー側封印部４９ｄ，４９ｅがねじ５３によりホルダに接合されて基板ケース４１が封印され、合計３回の監督機関によるチェックまで許容される構造が確保されている。
【００３７】
尚、制御基板を基板ケース４１ごと回収する際に、ホルダ側封印部に接合されている５番目のカバー側封印部４９ｅ，ベース側封印部５１ｅが、それらを支持する各支持部５９，６７において切断されて封印解除され、基板ケース４１が筐体３内部から取り外し可能な状態にされると共に、６番目のカバー側封印部４９ｆとベース側封印部５１ｆとがねじ５３の螺合より接合されて基板ケース４１が再び封印され、基板ケース４１が封印状態のまま搬送可能な状態にされ、制御基板が基板ケース４１ごと回収される。
【００３８】
従って、上記した実施形態によれば、ねじ５３を螺合することにより、係止部５５が被係止部５７に係止するため、ねじ５３の螺合及び係止部５５・被係止部５７の係止の両方によって、基板ケース４１を確実に封印することができ、外部からの不正行為をより確実に防止できる。
【００３９】
また、係止部５５及び被係止部５７がカバー側封印部４９ａ〜４９ｆの円筒状体６１の内側に配置されているため、外部から係止状態の係止部５５及び被係止部５７をアクセスすることができず、係止状態の係止部５５及び被係止部５７に対して細工することを防止でき、不正行為をより確実に防止できる。
【００４０】
なお、上記した実施形態において、ねじ５３のねじ頭以外の表面に、既存のマイクロカプセル状の接着剤を塗布しておき、螺合時の摩擦によりカプセルを破壊して接着剤の接着力を発揮させ、ねじ５３の螺合及び係止部５５・被係止部５７の係止に加えて、接着剤の接着力により、ベース４３とカバー４５とをより強固に閉塞するようにしても構わない。こうすれば、基板ケース４１をいっそう確実に封印することができる。ここで、接着剤には、エポキシ系のものを使用することができる。
【００４１】
また、上記した実施形態では、各カバー側封印部４９ａ〜４９ｆを成す円筒状体６１の内径を、各ベース側封印部５１ａ〜５１ｆを成す円筒状体６９，７１の外径よりも大きくし、各カバー側封印部４９ａ〜４９ｆに被係止部５７を、各ベース側封印部５１ａ〜５１ｆに係止部５５を形成した場合について説明したが、これとは逆に、各カバー側封印部４９ａ〜４９ｆを成す円筒状体６１の外径を、各ベース側封印部５１ａ〜５１ｆを成す円筒状体６９，７１の内径よりも小さくし、小径の円筒状体６１の後端部外周にフックから成る係止部を形成し、大径の円筒状体６９，７１の前端部内周に鈎状体から成る被係止部を形成してもよいのは勿論である。このとき、係止部を成すフックの個数、及び、被係止部を成す鈎状体の個数も上記した３個に限るものではなく、１個、２個或いは４個以上であってもよい。また、係止部、被係止部は、それぞれ上記したフック、鈎状体から成るものに限定されるものではなく、要するに係止可能な構造であればよい。
【００４２】
更に、上記した実施形態では、各ベース側封印部５１ａ〜５１ｆを支持する支持片６７は可撓性を有していなくてもよく、少なくとも切断可能であれば剛性を有する支持片により各ベース側封印部５１ａ〜５１ｆを支持する構造としても構わない。
【００４３】
また、上記した実施形態では、各カバー側封印部４９ａ〜４９ｆを支持する支持片５９と各ベース側封印部５１ａ〜５１ｆを支持する支持片６７の位置を正面視重複しないようにずらしているが、必ずしもこれらをずらす必要はない。具体的には、各カバー側封印部４９ａ〜４９ｆ及び各ベース側封印部５１ａ〜５１ｆを支持する各々の支持片の個数を同じにして、カバー側封印部４９ａ〜４９ｆの支持片とベース側封印部５１ａ〜５１ｆの支持片が正面視重複するように配設してもよい。
【００４４】
更に、上記した実施形態では、各カバー側封印部４９ａ〜４９ｆを円筒状体６１により、各ベース側封印部５１ａ〜５１ｆを円筒状体６９，７１によりそれぞれ構成した例を示したが、これら円筒状体６１，６９，７１に代えて角筒状体により構成してもよい。
【００４５】
また、上記した実施形態では、カバー側封印部４９ａ〜４９ｆ、ベース側封印部５１ａ〜５１ｆ及びねじ５３をそれぞれ６個としているが、これらの個数は特に６個に限定されるものではない。
【００４６】
更に、上記した実施形態では、本発明をスロットマシンに適用した場合について説明したが、パチンコ機といった他の遊技機にも本発明を適用することができ、その場合にも上記した各実施形態と同等の効果を得ることができる。
【００４７】
また、本発明は上記した実施形態に限定されるものではなく、その趣旨を逸脱しない限りにおいて上述したもの以外に種々の変更を行うことが可能である。
【００４８】
【発明の効果】
以上のように、請求項１に記載の発明によれば、ねじを一方側封印部または他方側封印部の片方から挿通してもう片方に螺合することにより、係止部が被係止部に係止するため、ねじの螺合及び係止部・被係止部の係止の双方によって基板ケースを確実に封印することができ、外部からの不正行為をより確実に防止することが可能になる。
【００４９】
また、請求項２に記載の発明によれば、ねじの螺合に伴って、一方側封印部または他方側封印部を支持する支持部が撓むため、係止部を被係止部に確実に係止させることが可能になる。
【００５０】
また、請求項３に記載の発明によれば、ねじの螺合及び係止部・被係止部の係止の双方により、ベースとカバーとの間を強固に閉塞して基板ケースを封印することが可能になる。
【００５１】
また、請求項４に記載の発明によれば、ねじを一方側封印部に挿通すると共に他方側封印部に遊通して保持部に螺合することにより、係止部が被係止部に係止するため、ねじの螺合及び係止部・被係止部の係止の双方により、ベースとカバーとを強固に閉塞すると同時に保持部に固定することができ、基板ケースを確実に封印して外部からの不正行為をより確実に防止することが可能になる。
【００５２】
また、請求項５に記載の発明によれば、ねじの螺合に伴って、一方側封印部をカバーに支持する支持部が撓むため、係止部を被係止部に確実に係止させることが可能になる。
【００５３】
また、請求項６に記載の発明によれば、係止部及び被係止部が片方の筒状体の内側に配置されるていため、ねじの螺合により係止部及び被係止部を確実に係止することができ、しかも外部から係止状態の係止部及び被係止部に対して細工することを防止でき、不正行為をより確実に防止することが可能になる。
【００５４】
また、請求項７に記載の発明によれば、ねじの螺合、係止部・被係止部の係止及び接着剤の接着力により、ベースとカバーとをより強固に閉塞でき、基板ケースをいっそう確実に封印することが可能になる。
【図面の簡単な説明】
【図１】この発明の一実施形態におけるスロットマシンの正面図である。
【図２】この発明の一実施形態におけるケースの一部の正面図である。
【図３】この発明の一実施形態におけるケースの一部の右側断面図である。
【図４】この発明の一実施形態における他の一部の切断斜視図である。
【図５】図３のＡ−Ａ’における断面図である。
【図６】図３のＣ−Ｃ’における断面図である。
【図７】従来例の斜視図である。
【符号の説明】
１　　スロットマシン（遊技機）
３　　筐体（遊技機筐体）
４１　基板ケース
４３　ベース
４５　カバー
４９ａ〜４９ｆ　カバー側封印部
５１ａ〜５１ｆ　ベース側封印部
５３　ねじ
５５　係止部
５７　被係止部
５９，６７　支持片
６１　円筒状体
６９，７１　円筒状体
【図１】
2004049500.tif 000003
【図２】
2004049500.tif 000004
【図３】
2004049500.tif 000005
【図４】
2004049500.tif 000006
【図５】
2004049500.tif 000007
【図６】
2004049500.tif 000008
【図７】
2004049500.tif 000009